(57)【特許請求の範囲】
【請求項１】
天地両用で使用可能な電子機器における温度センサの配置構造において、
錘と温度センサを有するリングと、電子機器内に該リングが前記錘に働く重力に従って摺動自在に回転する軌道を形成したことを特徴とする温度センサの配置構造。
【請求項２】
前記リングの一部に前記錘が固定され、前記リングの錘位置と対向する位置に前記温度センサが固定されていることを特徴とする請求項１の温度センサの配置構造。
【請求項３】
前記リングの一部に前記錘が固定され、前記温度センサは前記リングの上および又は内部で、前記リング上を摺動自在に嵌着されていることを特徴とする請求項１の温度センサの配置構造。
【請求項４】
送風ファンの前枠部に前記リングと前記リング軌道を設けたことを特徴とする請求項１の温度センサの配置構造。
【発明の詳細な説明】
【０００１】
【発明の属する技術分野】
本発明は、天地反転で使用可能な電子機器の温度制御にかかわる温度センサの配置構造に関するものである。
【０００２】
【従来の技術】
液晶プロジェクタなどのように、床上に設置してスクリーンに映像を投写したり、反転して天井に設置しスクリーンに映像を投写したりするような、天地反転で使用可能な電子機器がある。この電子機器において、機器内の部品やユニット（以下側温対象）上部や放熱口付近の雰囲気温度を検出し、冷却手段ヘフィードバックする構成を有するものがある。この電子機器には、温度検出用に各種温度センサが一般的に使われる。更に、自然対流や一部強制対流との組合せの場合でも、雰囲気温度の測定は測温対象の上方へ温度センサを配置することが一般的である。
【０００３】
天地両用液晶プロジェクタの従来技術を、図５、６、７、８を参照しながら説明する。
図５はプロジェクタを床上に設置した時の図である。図５において、５はプロジェクタ、５ａは投射レンズ、５ｂはプロジェクタの調整部、５ｃは三脚取付部、６は三脚、７は床面である。
図６、図７は、プロジェクタを天井面に設置した場合の図である。図６において、８はＵ字状の天井取付具、９は天井面である。図７において、１０はＩ字状の天井取付具であり、この場合はプロジェクタ５を上下反転させ、三脚取付部５ｃにて吊り下げるかたちとなる。
【０００４】
図８はプロジェクタ５内部の、光学メカ部を表す図である。図８において、１は光学メカ筐体、１ｂは送風口、１ｃは排気口、２は光学ユニット、３ａは温度センサ、４は送風ファン、４ａはファン駆動制御由である。
【０００５】
液晶プロジェクタ５は、記載のない光源からの光をＲ、Ｇ、Ｂ光に分離し、光学ユニット２内にてこそれぞれの光に対応した液晶パネルを通過することで、各色光ごとに映像信号により変調され、各色光が合成され、投射レンズ５ａにてスクリーンに投射することで、映像を映し出す装置である。投映画象の品位確保のためには、温度特性に敏感な液晶パネルの温度管理が重要であり、液晶パネル周辺の雰囲気温度を温度センサ３ａにて検出し、ファン駆動制御部４ａにて送風ファン４の送風量を制御する事で、温度管理がおこなわれる。
送風ファン４からの冷却風は光学メカ筐体１の送風口１ｂから光学ユニット２へ送風され、光学メカ筐体１内を循環し、排気口１ｃから排出される。
【０００６】
天地両用液晶プロジェクタの場合は、図７のような使用方法も行われるため、図８のように光学ユニット２上方と下方に２個の温度センサ３ａを配置し、設置方法により、光学ユニット２上方に位置する温度センサ３ａに切り替えて、温度制御ループを構成することが、一般的に行われる。
【０００７】
【発明が解決しようとする課題】
このように、従来の天地反転で使用可能な電子機器の温度制御のためには、設置方法により、光学ユニット２上方に位置する温度センサ３ａに切り替えるので、２個の温度センサとその配線や配線処理が必要であり、機器内の空間利用率の低下や、作業工数がかかるという課題を有している。
【０００８】
本発明の目的は、天地反転で使用可能な電子機器の温度センサの配線や配線処理を必要とせず、機器内の空間利用率を向上し、作業工程をかけない温度センサの配置構造を提供するものである。
【０００９】
【課題を解決するための手段】
本発明は、天地両用で使用可能な電子機器における温度センサの配置構造である。
まず、第１の発明は、錘と温度センサを有するリングと、電子機器内に該リングが前記錘に働く重力に従って摺動自在に上下方向に回転する軌道を形成したことを特徴とする。
【００１０】
第２の発明は、前記リングの一部に前記錘が固定され、前記リングの錘位置と対向する位置に前記温度センサが固定されていることを特徴とする。
【００１１】
第３の発明は、前記リングの一部に前記錘が固定され、前記温度センサは前記リングの上および又は内部で、前記リング上を摺動自在に嵌着されていることを特徴とする。
【００１２】
第４の発明は、送風ファンの前枠部に前記リングと前記リング軌道を設けたことを特徴とする。
【００１３】
本発明においては、天地両用で使用可能な電子機器において、この電子機器を天地反転させても、錘に働く重力によってリングが軌道に沿って回転し、容易にリングに配置された温度センサを所定の位置に移動できる。特に、錘と温度センサを対向位置に配すれば、自動的に温度センサが上方に配置され、高温となる上部の温度を測定できる。
【００１４】
【発明の実施形態】
以下に本発明の実施形態について図面を参照しながら説明する。ここで、従来技術と同一の部分には同一符号を付し、説明は省略する。
【００１５】
図１は液晶プロジェクタ５内部の、光学メカ部を表す側方断面図である。
図１において、３はセンサーリング、１ａは光学メカ筐体内側璧に設けられた、円形軌道であり、センサーリング３はこの円形軌道１ａ内を、摺動自在に回転する構造となっている。
尚、光学ユニット２の上下関係を分かりやすく表現するため、図１において光学ユニット２の上部に凸部を表示している。図２はセンサーリング３の断面図である。
【００１６】
図２において、３ａは温度センサ、３ｂは錘で、互いに対向する位置に設置されている。
又、センサーリング３が円形軌道１ａ内を自在に回転できるように、温度センサ３ａと錘３ｂはセンサーリング３内部に埋め込まれており、温度センサ３ａの部分は温度検出のため、開口部が設けられている。
【００１７】
図３、図４は液晶プロジェクタ５内部の、光学メカ部の正面断面図である。
図３において、センサーリング３は錘３ｂが下方になるよう平衡が保たれ、この時温度センサ３ａは上方に位置し、光学ユニット２上方の温度を監視することになる。
尚、図３の状態は、図５のように、床面７に三脚８にて設置する場合に相当し、光学ユニット２の凸部は上方に位置している。
【００１８】
図４は、図７で表すように、液晶プロジェクタ５の上下を反転させて、三脚取付部５ｃとＩ字状の天井取付具１０を接続させて天井面９に設置した状態図で、光学ユニット部２の凸部は下方に位置している。
図４の場合でも、センサーリング３は円形軌道１ａ内を回転し、錘３ｂが下方になる状態で平衡され、温度センサ３ａは上方に位置し、光学ユニット２上方の温度を監視することになる。
【００１９】
このように、プロジェクタ５を天地反転させてもセンサーリング３は、光学メカ筐体１内の円形軌道１ａ内を錘３ｂの重力によって移動することで、温度センサ３ａは常に光学ユニット２上方に位置し、筐体内で高温となる上部の温度を監視することができる。
【００２０】
尚、温度センサ３ａの出力取り出し方法としては、例えば、センサーリング３の特定位置に温度センサ３ａと内部結線された２個の電極を露出させ、円形軌道１ａ内の特定範囲の該センサーリング３電極との対向位置に、モーターブラシなどを設けて、温度センサ３ａの出力を取り出すことも可能である。又、センサーリング３の錘３ｂを固定し、温度センサ３ａをセンサーリング３の上および又は内部で、センサーリング３上を摺動自在に嵌着する構造とすることで、温度センサ３ａを被測定物の位置に合わせ、より正確な測定を可能にすると共に、汎用性のある温度制御装置を提供することができる。
更に、送風ファン４の前枠部にセンサーリング３と円形軌道を設けることで、光学メカ筐体内部の複雑な加工を不要とすると共に、汎用性のある温度制御装置を提供することもできる。
【００２１】
【発明の効果】
第１及び第２の発明によれば、天地両用で使用可能な電子機器における温度センサの配置構造において、錘と温度センサを有するリングと、電子機器内に該リングが重力に従って摺動自在に回転する軌道を形成することで、１個の温度センサで温度制御ループを構成することを可能とし、機器内の空間利用率の向上や、作業工数の削減を図ることができる。
【００２２】
第３の発明によれば、リングの一部に錘が固定され、温度センサはリングの上および又は内部で、リング上を摺動自在に嵌着されていることで、温度センサを被測定物の位置に合わせ、より正確な測定を可能にすると共に、汎用性のある温度制御装置を提供することができる。
【００２３】
第４の発明によれば、送風ファンの前枠部にリングとリング軌道を設けたことで、光学メカ筐体内部の複雑な加工を不要とすると共に、汎用性のある温度制御装置を提供することができる。
【図面の簡単な説明】
【図１】本発明の実施形態における液晶プロジェクタの、光学メカ部を表す側方断面図である。
【図２】本発明の実施形態におけるセンサーリングの断面図である。
【図３】本発明の実施形態における液晶プロジェクタの光学メカ部の正面断面図である。
【図４】本発明の実施形態における液晶プロジェクタの光学メカ部の正面断面図である。
【図５】プロジェクタを床上に設置した時の図である。
【図６】プロジェクタを天井面に設置した場合の図である。
【図７】プロジェクタを天井面に設置した場合の図である。
【図８】従来技術におけるプロジェクタの光学メカ部を表す図である。
【符号の説明】
１  光学メカ筐体
２  光学ユニット
３  センサーリング
４  送風ファン
５  プロジェクタ
６  三脚
７  床面
８  天井取付具
９  天井面
１０  天井取付具
【図１】
0003621036.tif 000002
【図２】
0003621036.tif 000003
【図３】
0003621036.tif 000004
【図４】
0003621036.tif 000005
【図５】
0003621036.tif 000006
【図６】
0003621036.tif 000007
【図７】
0003621036.tif 000008
【図８】
0003621036.tif 000009